(57)【要約】    【課題】  シート状清掃材を保持し得る払拭材保持体を利用して保持し得、単繊維層を利用して種々の清掃対象を清掃することができる。    【解決手段】  熱溶融性の単繊維１０が略並列状に集合して所要厚さで所定長さの平面方形状の層状をなす単繊維層１２と、前記単繊維１０より長い長さを幅とし前記所定長さを長さとする方形状の熱溶融繊維製の不織布１４が積層した積層物の各単繊維１０方向における中央を挟んだ一対の対称位置を、長さ方向全体にわたり、各単繊維１０に直交する一対の熱融着線１６によって、単繊維層１２の全単繊維１０と不織布１４を厚さ方向に熱融着させる。これにより、単繊維層１２における両熱融着線１６の外方部がそれぞれ房状部１８を構成し、単繊維層１２における両熱融着線１６の間に、両端が熱融着された略並列状単繊維群２０を構成する。【選択図】      図１
2005261732.tif 000002
【特許請求の範囲】
【請求項１】
熱溶融性の単繊維が略並列状に集合して所要厚さの層状をなす単繊維層と、熱溶融性のシートとが積層し、
前記単繊維層を構成する単繊維と前記シートが、各単繊維の長さ方向中間の２以上の箇所と前記シートの端縁よりも内方位置が、厚さ方向に熱融着して一体状をなし、
前記単繊維層を構成する単繊維群の単繊維方向両端側が房状部を形成し、
単繊維方向両端側の房状部の間が、少なくとも両端が熱融着された略並列状単繊維群を形成し、
前記シートの各単繊維方向における両側が払拭材保持用の自由側縁部を構成していることを特徴とする払拭材。
【請求項２】
上記熱融着が、上記単繊維層を構成する単繊維に交差する熱融着線により行われている請求項記載の払拭材。
【請求項３】
上記単繊維層を構成する単繊維の一部として、他の単繊維よりも剛性が高い剛単繊維を満遍なく含む請求項１又は２記載の払拭材。
【請求項４】
上記剛単繊維の剛性及び径が、その剛単繊維を含む単繊維層を構成する他の単繊維の剛性及び径のそれぞれ２倍以上である請求項３記載の払拭材。
【請求項５】
上記単繊維層が、熱溶融性の単繊維と非熱溶融性の単繊維が混合して構成されたものである請求項１乃至４の何れかに記載の払拭材。
【発明の詳細な説明】
【技術分野】
【０００１】
本発明は、単繊維が略並列状に集合して所要厚さの層状をなす単繊維層により房状部を利用して清掃を行うことができる払拭材に関する。
【背景技術】
【０００２】
特開２００２−３６９７８３号公報（特許文献１）には、刷毛部が、軟質なシートで細長く形成された複数の短冊片と、繊維束とで形成されていることを特徴とする清掃用物品が開示されている。この清掃用物品は、刷毛部が、短冊片と繊維束とで形成されているため、繊維束が絡んだり丸まったりしにくくなり、刷毛部の保形性を高めることができ、特に短冊片と繊維束とを部分的に接合しておくと、刷毛部を形成する繊維束の剛性を高くでき、長期間使用しても繊維束が丸まったり縮まったりするのを防止できるようになるものとされている。
【０００３】
このような清掃用物品は、使い捨てを前提とする場合がほとんどであるが、使い捨て清掃材のうち最も一般的な形態であるシート状の清掃材を保持し得る払拭材保持体を利用することができるものではなく、従来の払拭材保持体以外の払拭材保持体を別途用いなければならない。また、溝状部やその他の凹部並びに隅角部等の塵埃については、軟質シートから形成された短冊片では十分な掻き出し効果が得られ難いおそれがある。
【特許文献１】特開２００２−３６９７８３号公報
【発明の開示】
【発明が解決しようとする課題】
【０００４】
本発明は、上記背景技術の下で行われたものであって、その目的とするところは、シート状清掃材を保持し得る払拭材保持体を利用して保持し得、単繊維層を利用して種々の清掃対象を清掃することができる払拭材を提供することある。
【課題を解決するための手段】
【０００５】
上記目的を達成する本発明の払拭材は、
熱溶融性の単繊維が略並列状に集合して所要厚さの層状をなす単繊維層と、熱溶融性のシートとが積層し、
前記単繊維層を構成する単繊維と前記シートが、各単繊維の長さ方向中間の２以上の箇所と前記シートの端縁よりも内方位置が、厚さ方向に熱融着して一体状をなし、
前記単繊維層を構成する単繊維群の単繊維方向両端側が房状部を形成し、
単繊維方向両端側の房状部の間が、少なくとも両端が熱融着された略並列状単繊維群を形成し、
前記シートの各単繊維方向における両側が払拭材保持用の自由側縁部を構成していることを特徴とする。
【０００６】
この払拭材は、シート状清掃材を保持し得る払拭材保持体の下面側に、少なくとも両端が熱融着された略並列状単繊維群が位置し、略並列状単繊維群の単繊維方向外側に房状部が位置する状態で、払拭材保持体の下面側に対し、シートの自由側縁部を利用して保持させることができる。なお、この単繊維層は、熱溶融性の単繊維と非熱溶融性の単繊維が混合して構成されたものとすることができる。
【０００７】
清掃を行う場合、払拭材保持体の下面側に保持した払拭材の房状部により比較的粗いゴミを絡め取り、略並列状単繊維群により比較的細かい塵埃を拭き取ることができる。
【０００８】
上記払拭材は、上記熱融着が、上記単繊維層を構成する単繊維に交差する熱融着線により行われているものとすることができる。
【０００９】
上記払拭材は、上記単繊維層を構成する単繊維の一部として、他の単繊維よりも剛性が高い剛単繊維を満遍なく含むものとすることができる。
【００１０】
この払拭材によれば、房状部における剛単繊維が、溝状部やその他の凹部並びに隅角部等の塵埃等を掻き出し、略並列状単繊維群における剛単繊維が清掃対象に接することによりこびり付いた汚れを掻き取り、それらを他の単繊維により拭き取ることにより、効率的に清掃を行い得る。
【００１１】
なお、上記剛単繊維の剛性及び径は、その剛単繊維を含む単繊維層を構成する他の単繊維の剛性及び径のそれぞれ２倍以上であるものとすることができる。好ましくは４乃至１０倍である。
【発明の効果】
【００１２】
本発明の払拭材によれば、シート状清掃材を保持し得る払拭材保持体の下面側に、少なくとも両端が熱融着された略並列状単繊維群が位置し、略並列状単繊維群の単繊維方向外側に房状部が位置する状態で、払拭材保持体の下面側に対し、シートの自由側縁部を利用して保持させ、床面又はその他の清掃対象の清掃に用いることができる。
【発明を実施するための最良の形態】
【００１３】
本発明の実施の形態を、図面を参照しつつ説明する。
【００１４】
図面は何れも本発明の実施の形態としての払拭材に関するものであって、図１は説明図、図２は断面図、図３は底面図、図４は取付状態を示す側面図である。図５は別の実施の形態についての断面図である。なお、図１乃至５に共通の符号は同一意義である。
【００１５】
図１乃至４記載の払拭材Ａは、ほぼ一定長さ（必ずしも一定長さであることを要するものではない。）の熱溶融性の単繊維１０が略並列状（端部側に単繊維による房状部が形成されるものであれば単繊維同士がある程度絡まり合っていても差し支えない。）に集合して所要厚さで所定長さ（図１及び図２における図の平面に垂直な方向、図３における縦方向。）の平面方形状の層状をなす単繊維層１２と、前記単繊維１０より長い（必ずしも長いことを要するものではない。）長さを幅とし前記所定長さを長さとする方形状の熱溶融繊維製の不織布１４（熱溶融繊維と非熱溶融性繊維からなり、全体として熱溶融性を有する不織布であってもよい。不織布にかぎらず、熱溶融性の合成樹脂シート等であってもよい。）が積層した、図１に示す積層物（不織布１４の両側は、単繊維層１２の単繊維１０方向両側に拡がった拡開部１４ａ［自由端部］を構成している）を用いて製造し得る。
【００１６】
この積層物の各単繊維１０方向（左右方向）における中央を挟んだ一対の対称位置において、長さ方向全体にわたり、各単繊維１０に直交する一対の熱融着線１６によって、単繊維層１２の全単繊維１０と不織布１４を矢示のように厚さ方向に熱融着させる。これにより、単繊維層１２における両熱融着線１６の外方部がそれぞれ房状部１８を構成し、単繊維層１２における両熱融着線１６の間に、両端が熱融着された略並列状単繊維群２０を構成する。なお、このような熱融着線１６の形成位置は必ずしも対称位置に限るものではない。また、熱融着線１６は、単繊維１０に直交するものに限らず、また、直線に限らず曲線や波線等であってもよい。また、熱融着線１６は長さ方向に連続であることを要するものではない。
【００１７】
単繊維層１２を構成する熱溶融性の単繊維の例及び前記不織布を構成する繊維の例としては、ポリエステル、ポリプロピレン、ポリエチレン等の各種合成繊維を挙げることができる。これらの繊維は例えば０．５乃至５デシテックス（好ましくは２乃至４デシテックス）のものを用い得るがこれに限るものではない。またこれらの繊維は、着塵剤を（例えば、含有、含浸、外添等により）有するものでもよい。
【００１８】
この払拭材Ａを、単繊維層１２を下側にしてシート状清掃材保持用のモップ用保持板Ｍの下面側に位置させ、不織布１４の拡開部１４ａをモップ用保持板Ｍのシート保持部Ｍ１に保持させることにより、払拭材Ａをモップ用保持板Ｍに保持させて単繊維層１２により床面等の清掃を行うことができる。単繊維層１２のうち両熱融着線１６の外側の房状部１８により比較的粗いゴミを絡め取り、両熱融着線１６の間の略並列状単繊維群２０により比較的細かい塵埃を拭き取ることができる。
【００１９】
なお、図５に二点差線で示すように、単繊維層１２を構成する単繊維１０の一部として、他の単繊維１０よりも１０倍程度剛性が高く１０倍程度径が太い剛単繊維２２（例えば５乃至１００デシテックス、好ましくは２０乃至６０デシテックスのものとすることができる。）を満遍なく含むものとすることができる。この場合、房状部１８における剛単繊維２２は、溝状部やその他の凹部並びに隅角部等の塵埃等を掻き出し、これを他の単繊維１０により拭き取ることにより、効率的に清掃を行い得る。また、略並列状単繊維群２０における剛単繊維２２が清掃対象に接することによりこびり付いた汚れを掻き取り、これを他の単繊維１０により拭き取ることにより、効率的に清掃を行い得る。
【図面の簡単な説明】
【００２０】
【図１】説明図である。
【図２】断面図である。
【図３】底面図である。
【図４】取付状態を示す側面図である。
【図５】別の実施の形態についての断面図である。
【符号の説明】
【００２１】
１０      単繊維
１２      単繊維層
１４      不織布
１４ａ    拡開部
１６      熱融着線
１８      房状部
２０      略並列状単繊維群
２２      剛単繊維
Ａ        払拭材
Ｈ        柄
Ｍ        モップ用保持板
Ｍ１      シート保持部
【図１】
2005261732.tif 000003
【図２】
2005261732.tif 000004
【図３】
2005261732.tif 000005
【図４】
2005261732.tif 000006
【図５】
2005261732.tif 000007